(57)【特許請求の範囲】
【請求項１】
圧電基板と、この圧電基板の上に設けられた第１および第２のフィルタと、前記圧電基板と前記第１および第２のフィルタを内蔵したパッケージと、このパッケージの表面に設けられ前記第１のフィルタに接続されたアンテナ端子および第１の入出力端子と、前記パッケージの表面に設けられ前記第２のフィルタに接続された第２および第３の入出力端子とを備え、前記第１のフィルタは、１対の反射電極の間に２個のＩＤＴ電極を有する２電極型の２端子対弾性表面波共振器からなり、前記第２のフィルタは、１対の反射電極の間に２個のＩＤＴ電極を有する２電極型の２端子対弾性表面波共振器からなり、送信信号は、前記第１の入出力端子から入力され、前記第１のフィルタを経由して前記アンテナ端子から出力され、受信信号は、前記アンテナ端子から入力され、前記第１のフィルタと前記第１の入出力端子と前記第２の入出力端子と前記第２のフィルタを順次経由して前記第３の入出力端子から出力され、前記第１の入出力端子に接続されたＩＤＴ電極と前記第２の入出力端子に接続されたＩＤＴ電極とを対向して配置するとともに、前記アンテナ端子に接続されたＩＤＴ電極と前記第３の入出力端子に接続されたＩＤＴ電極とを対向して配置し、前記第１の入出力端子と前記第２の入出力端子を前記パッケージの同じ端縁に配置するとともに、前記アンテナ端子と前記第３の入出力端子を前記パッケージの相対向する端縁に配置し、かつ前記第１の入出力端子と前記第２の入出力端子を前記アンテナ端子の配置された端縁および前記第３の入出力端子の配置された端縁と異なる端縁に配置した弾性表面波装置。
【発明の詳細な説明】
【０００１】
【発明の属する技術分野】
本発明は主として携帯電話、コードレス電話、コードレスリモコン等の無線通信機器の受信機および送受信機に使用される弾性表面波装置に関するものである。
【０００２】
【従来の技術】
図５は従来の送受信機の構成を示すブロック図である。
【０００３】
図５において、２３はミキサ、２４は局部発振器、２５は復調回路、２６はアンテナ端子、２７は中間周波数フィルタ、２８は受信アンプ、２９は送信アンプ、３０は高周波切替スイッチ、３６，３７は受信フィルタ、３８は送信フィルタである。
【０００４】
まず従来の送受信機の受信動作について説明する。
【０００５】
アンテナ端子２６に入力された高周波信号はスイッチ３０、受信フィルタ３６および受信アンプ２８および受信フィルタ３７を経由してミキサ２３に入力される。
【０００６】
ここで受信フィルタ３６はアンテナからの妨害波入力による感度劣化を抑えるためＬＣフィルタを使用し、受信フィルタ３７は不要な帯域の信号を除去するためにＳＡＷフィルタで構成されるのが一般的である。
【０００７】
図４は受信フィルタ３７として使用される弾性表面波素子の構成である。１４は圧電基板、１５は第１のフィルタ、１９は第２のフィルタ、３２は第１のフィルタ１５の入力部、３３は第１のフィルタ１５のアース部、３４は第２のフィルタ１９のアース部、３５は第２のフィルタ１９の出力部である。
【０００８】
図４に示した構成は縦モード型ＳＡＷフィルタであり、不要な帯域の信号を除去する目的から、第１のフィルタ１５と第２のフィルタ１９を縦続接続し、保証帯域外減衰量を確保しており、入出力電極は各１個である。周波数によっては横２重モード型等も使用できる。
【０００９】
一方、局部発振器２４の出力がミキサ２３に入力され、前記受信フィルタ３７からの信号とミキシングすることにより中間周波数信号に変換される。
【００１０】
ここで受信する希望チャンネルに応じて局部発振器２４の出力周波数が変更される。中間周波数信号は中間周波数フィルタ２７でチャンネル選択のために帯域を制限されて復調回路２５に入力され、復調回路２５により復調動作が行われる。
【００１１】
次に送信動作について説明する。
【００１２】
まず、局部発振器２４が送信周波数に設定され、変調回路３９により局部発振器２４の出力信号が変調される。局部発振器２４の出力信号は送信アンプ２９に入力され、送信アンプ２９の出力は送信フィルタ３８を経て高周波切替スイッチ３０に入力され、アンテナ端子２６より信号が送信される。
【００１３】
ここで、送信フィルタ３８は主として送信アンプのスプリアスを除去するためのものであるが、送信の効率を上げるためにできる限り挿入損失の小さいフィルタが望ましくＬＣフィルタを用いる場合が多い。
【００１４】
送受信機では、上記の受信動作および送信動作を切り換えることにより通信を行うという構成が用いられていた。
【００１５】
【発明が解決しようとする課題】
しかしながら、従来の構成では高周波フィルタとして送信フィルタが１個、受信フィルタが２個必要であり、受信フィルタと送信フィルタに求められる特性が異なるため、１つのフィルタで受信フィルタと送信フィルタを共用することは困難であり、このため送受信機の小型化、低コスト化が困難であるという課題を有していた。
【００１６】
本発明は上記従来の課題を解決するものであり、一つのフィルタで受信フィルタと送信フィルタを共用すると同時に小型化することが可能な弾性表面波装置を提供することを目的とするものである。
【００１７】
【課題を解決するための手段】
上記目的を達成するために、本発明は以下の構成を有するものである。
【００１８】
本発明は、圧電基板と、この圧電基板の上に設けられた第１および第２のフィルタと、前記圧電基板と前記第１および第２のフィルタを内蔵したパッケージと、このパッケージの表面に設けられ前記第１のフィルタに接続されたアンテナ端子および第１の入出力端子と、前記パッケージの表面に設けられ前記第２のフィルタに接続された第２および第３の入出力端子とを備え、前記第１のフィルタは、１対の反射電極の間に２個のＩＤＴ電極を有する２電極型の２端子対弾性表面波共振器からなり、前記第２のフィルタは、１対の反射電極の間に２個のＩＤＴ電極を有する２電極型の２端子対弾性表面波共振器からなり、送信信号は、前記第１の入出力端子から入力され、前記第１のフィルタを経由して前記アンテナ端子から出力され、受信信号は、前記アンテナ端子から入力され、前記第１のフィルタと前記第１の入出力端子と前記第２の入出力端子と前記第２のフィルタを順次経由して前記第３の入出力端子から出力され、前記第１の入出力端子に接続されたＩＤＴ電極と前記第２の入出力端子に接続されたＩＤＴ電極とを対向して配置するとともに、前記アンテナ端子に接続されたＩＤＴ電極と前記第３の入出力端子に接続されたＩＤＴ電極とを対向して配置し、前記第１の入出力端子と前記第２の入出力端子を前記パッケージの同じ端縁に配置するとともに、前記アンテナ端子と前記第３の入出力端子を前記パッケージの相対向する端縁に配置し、かつ前記第１の入出力端子と前記第２の入出力端子を前記アンテナ端子の配置された端縁および前記第３の入出力端子の配置された端縁と異なる端縁に配置した構成を有する。
【００１９】
【発明の実施の形態】
以下に本発明の実施の形態について説明する。
【００２０】
図２は、本発明による弾性表面波素子の一実施の形態を示す構成図である。
【００２１】
図２において、１４は圧電基板、１５は第１のフィルタ、１６は第１のフィルタ１５の入力部、１７は第１のフィルタ１５のアース部、１８は第１のフィルタ１５の出力部、１９は第２のフィルタ、２０は第２のフィルタ１９の入力部、２１は第２のフィルタ１９のアース部、２２は第２のフィルタ１９の出力部である。
【００２２】
図１は、本発明による弾性表面波装置の一実施の形態を示す構成図である。
【００２３】
図１において、１はパッケージ、２は第１のフィルタ１５に接続した入力端子、３は第１のフィルタ１５に接続した出力端子、４は第１のフィルタ１５に接続したアース端子、５は第１のフィルタ１５に接続したアース端子、６は第１のフィルタ１５に接続した出力端子と第２のフィルタ１９に接続した入力端子の間にあるアース端子、７は第２のフィルタ１９に接続した入力端子、８は第２のフィルタ１９に接続した出力端子、９は第２のフィルタ１９に接続したアース端子、１０は第２のフィルタ１９に接続したアース端子、１１，１２，１３はアース端子である。
【００２４】
図３は本発明による送受信機の一実施の形態を示すブロック図である。
【００２５】
図３において、２３はミキサ、２４は局部発振器、２５は復調回路、２６はアンテナ端子、２７は中間周波数フィルタ、２８は受信アンプ、２９は送信アンプ、３０は高周波切替スイッチ、３１は本発明による弾性表面波装置である。
【００２６】
本発明の弾性表面波装置を送受信機に使用した場合、受信動作時には高周波切替スイッチ３０が受信アンプ側に切り替えられ、アンテナ端子２６から第１のフィルタ１５の入力部１６に入力された信号は第１のフィルタ１５により励振され、第１のフィルタ１５の出力部１８に出力される。
【００２７】
この時出力された信号は、イメージ周波数成分や他の妨害波成分の一部を除去され、高周波信号切替スイッチ３０を介し受信アンプ２８で増幅され、第２のフィルタ１９の入力部２０から入力される。
【００２８】
第２のフィルタ１９の入力部２０から入力された信号は、第２のフィルタ１９にて励振され、第２のフィルタ１９の出力部２２に出力される。
【００２９】
この時出力された信号は、イメージ周波数成分や他の妨害波成分をさらに除去され、局部発振器２４の出力とともにミキサ２３にてミキシングされ、中間周波数信号に変換される。
【００３０】
変換された中間周波数信号は中間周波数フィルタ２７にてチャンネル選択され、復調回路２５で復調動作が行われる。
【００３１】
一方送信動作時には、高周波信号切替スイッチ３０が送信アンプ２９側に切り替えられ、第１のフィルタ１５の出力部１８に入力された信号は、第１のフィルタ１５にて励振され第１のフィルタ１５の入力部１６に出力される。この時高周波成分であるスプリアスを抑制しアンテナ端子２６に出力される。このスプリアス成分は主として高調波成分であるため、急峻な減衰特性は必要とせず、減衰量も比較的小さくてよい。むしろ送信周波数帯域の通過損失が小さいことが求められ、これは受信動作時の第１のフィルタ１５と同じ役割となる。
【００３２】
また、第１のフィルタ１５に接続した入力端子２と前記第１のフィルタ１５に接続した出力端子３間に前記第１のフィルタ１５に接続したアース端子４を配置し、前記第２のフィルタ１９に接続した入力端子７と第２のフィルタ１９に接続した出力端子８間に第２のフィルタ１９に接続したアース端子９を配置することにより、受信感度を高められるとともに、妨害波成分やイメージ周波数成分の影響を除去し、隣接する端子への影響を抑制することができる。
【００３３】
また、同一圧電基板上に２つの弾性表面波素子を形成することにより小型化が可能となる。
【００３４】
従って、第１のフィルタ１５は、受信フィルタとして動作する場合でも送信フィルタとして動作する場合でも必要な両方の電気特性を備えており、送受信の両方に共用することができるとともに、その第１のフィルタ１５を端子配置に配慮した一つのパッケージ１に収納することにより、妨害波や隣接する端子の影響を受けにくくすることができる。
【００３５】
【発明の効果】
以上のように本発明によれば、少なくとも第１および第２のフィルタの入力端子と、第１および第２のフィルタの出力端子と、少なくとも第１および第２のフィルタのアース端子とを有するパッケージと、このパッケージ内に収納し接続した少なくとも第１および第２のフィルタを備え、前記第１のフィルタに接続した入力端子と第１のフィルタに接続した出力端子間に第１のフィルタに接続したアース端子を配置し、前記第２のフィルタに接続した入力端子と前記第２のフィルタに接続した出力端子間に前記第２のフィルタに接続したアース端子を配置し、前記第１のフィルタは前記第１のフィルタに接続した入力端子と前記第１のフィルタに接続した出力端子に近接して配置するとともに、前記第２のフィルタは前記第２のフィルタに接続した入力端子と第２のフィルタに接続した出力端子に近接して配置した構成を有しており、これにより第１のフィルタにより妨害波を除去し、第２のフィルタにより妨害波成分と高周波アンプ出力のイメージ周波数付近の雑音成分を除去することができるため、一つのフィルタで受信フィルタと送信フィルタを共用できるフィルタを、妨害波の影響を受けにくい構成のパッケージに収納することにより、送受信機の小型化、低コスト化が可能であるという作用効果が得られる。
【図面の簡単な説明】
【図１】  本発明の一実施の形態における弾性表面波装置の構成図
【図２】  本発明の一実施の形態における弾性表面波素子の構成図
【図３】  本発明の一実施の形態における送受信機のブロック図
【図４】  従来の弾性表面波素子の構成図
【図５】  従来の送受信機のブロック図
【符号の説明】
１  パッケージ
２  第１のフィルタに接続した入力端子
３  第１のフィルタに接続した出力端子
４  第１のフィルタに接続したアース端子
５  第１のフィルタに接続したアース端子
６  第１のフィルタに接続した出力端子と第２のフィルタに接続した入力端子の間のアース端子
７  第２のフィルタに接続した入力端子
８  第２のフィルタに接続した出力端子
９  第２のフィルタに接続したアース端子
１０  第２のフィルタに接続したアース端子
１１  アース端子
１２  アース端子
１３  アース端子
１４  圧電基板
１５  第１のフィルタ
１６  第１のフィルタの入力部
１７  第１のフィルタのアース部
１８  第１のフィルタの出力部
１９  第２のフィルタ
２０  第２のフィルタの入力部
２１  第２のフィルタのアース部
２２  第２のフィルタの出力部
２３  ミキサ
２４  局部発振器
２５  復調回路
２６  アンテナ端子
２７  中間周波数フィルタ
２８  受信アンプ
２９  送信アンプ
３０  高周波切替スイッチ
３１  弾性表面波装置
３２  第１のフィルタの入力部
３３  第１のフィルタのアース部
３４  第２のフィルタのアース部
３５  第２のフィルタの出力部
３６  受信フィルタ
３７  受信フィルタ
３８  送信フィルタ
３９  変調回路
【図１】
0004797261.tif 000002
【図２】
0004797261.tif 000003
【図３】
0004797261.tif 000004
【図４】
0004797261.tif 000005
【図５】
0004797261.tif 000006